(57)【要約】【課題】電解液の蒸発ガスを気密的に覆うカバー手段をケースに強固に取付けることができる電解コンデンサを備える電気機器を提供することを目的とする。【解決手段】回路部品を有する電気回路２１と、回路部品として電気回路２１に設けられ、電解液を含むコンデンサ素子１ａを密封状態に収納するとともに内部圧力が所定以上になった場合に電解液の蒸発ガスを噴出する安全弁６が設けられたケース３と、このケース３の前記安全弁６を含んで少なくとも上面及び側周面を気密的に覆うとともに開口部１１を有し、この開口部１１の周縁が前記ケース３の底面側に接着固定されたカバー手段１０とを備える電解コンデンサ１を具備する電気機器２０である。【選択図】図２
2010123762.tif 000002
【特許請求の範囲】
【請求項１】
回路部品を有する電気回路と；
回路部品として電気回路に設けられ、電解液を含むコンデンサ素子を密封状態に収納するとともに内部圧力が所定以上になった場合に電解液の蒸発ガスを噴出する安全弁が設けられたケースと、このケースの前記安全弁を含んで少なくとも上面及び側周面を気密的に覆うとともに開口部を有し、この開口部の周縁が前記ケースの底面側に接着固定されたカバー手段とを備える電解コンデンサと；
を具備することを特徴とする電気機器。
【請求項２】
回路部品を有する電気回路と；
回路部品として電気回路に設けられ、電解液を含むコンデンサ素子を密封状態に収納するとともに内部圧力が所定以上になった場合に電解液の蒸発ガスを噴出する安全弁が設けられたケースと、このケースの前記安全弁を含んで少なくとも上面及び側周面を気密的に覆うカバー手段とを備え、前記カバー手段は、開口部を有し、この開口部の周縁は、電解コンデンサの構成部品を構成要素とする挟持手段によって固着されている電解コンデンサと；
を具備することを特徴とする電気機器。
【請求項３】
回路部品を有する電気回路と；
回路部品として電気回路に設けられ、電解液を含むコンデンサ素子を密封状態に収納するとともに内部圧力が所定以上になった場合に電解液の蒸発ガスを噴出する安全弁が設けられたケースと、このケースの全周面を気密的に覆うとともに開口部を有し、この開口部を安全弁と対向しない領域に配置し、かつ開口部の周縁が溶着により固着されたカバー手段とを備える電解コンデンサと；
を具備することを特徴とする電気機器。
【発明の詳細な説明】
【技術分野】
【０００１】
本発明は、電解コンデンサを用いる電気回路を備えた電気機器に関する。
【背景技術】
【０００２】
従来、電気機器として、例えば、放電灯を点灯させる点灯装置は、一般的には、フィルタ回路、整流平滑回路、高周波変換回路及びランプ点灯回路等から構成されており、整流平滑回路には、直流電源の平滑のため電解コンデンサが接続されている。電解コンデンサは、例えば、陽極箔と陰極箔からなる一対の電極間に電解紙を挟み巻回した電解コンデンサ素子に電解液を含浸させ、この含浸済みの素子に封口ゴムを取付け、有底筒状のケース内に入れて封止されている。
【０００３】
電解コンデンサは、経年変化に伴って、電解液が蒸発して減少し、寿命末期には、電解液の減少による容量低下に加えて電解液の等価直列抵抗（ＥＳＲ）が上昇し、温度上昇する。やがて、リップル電流により発熱が大きくなり、熱暴走を引き起こし、急激に温度上昇し、電解液の沸点を超えて電解液の蒸発ガスの圧力でケースが破裂する虞がある。そのためケースの一部に安全弁が設けられたものがあり、電解液の蒸発ガスでケース内の圧力が所定圧力以上に達した場合、安全弁が作動し、電解液の蒸発ガスを外部に噴出させ、ケースが破裂するのを防止するようにしている。安全弁が作動することは、ケース内の異常な圧力上昇を抑えることを目的とした正常な動作であるが、外部に噴出した電解液の蒸発ガスが煙に見えることから、使用者が焼損による発煙と誤認し、火災と判断してしまいやすい現象を呈する。
【０００４】
従来、このような現象を防止するため、安全弁から外部に放出された気体を収容する外側気密手段を備えた電解コンデンサ（特許文献１参照）や収容部、縦伸縮部及び環状伸縮部からなるキャップを取付けた電解コンデンサ（特許文献２参照）が提案されている。
【特許文献１】特開２００５−４４８６８号公報
【特許文献２】特開２００６−２８６９６９号公報
【発明の開示】
【発明が解決しようとする課題】
【０００５】
しかしながら、特許文献１に示されたものは、外側気密手段の開口端を金属ケースにおける大径の上部と小径の下部との間の段部に引っ掛けることにより、外側気密手段を金属ケースに係止するものである。また、特許文献２に示されたものは、環状のゴム等を内蔵した環状伸縮部によって、その収縮でキャップを金属ケースに取付けるものである。このような外側気密手段の係止やキャップの取付け方法では、電解液の蒸発ガスの噴出力に対応するには十分ではなく、外側気密手段やキャップが蒸発ガスの噴出力によって金属ケースから離脱してしまう可能性がある。
【０００６】
本発明は、上記事情に鑑みなされたもので、電解液の蒸発ガスを気密的に覆うカバー手段をケースに強固に取付けることができる電解コンデンサを備える電気機器を提供することを目的とする。
【課題を解決するための手段】
【０００７】
請求項１に記載の電気機器は、回路部品を有する電気回路と；回路部品として電気回路に設けられ、電解液を含むコンデンサ素子を密封状態に収納するとともに内部圧力が所定以上になった場合に電解液の蒸発ガスを噴出する安全弁が設けられたケースと、このケースの前記安全弁を含んで少なくとも上面及び側周面を気密的に覆うとともに開口部を有し、この開口部の周縁が前記ケースの底面側に接着固定されたカバー手段とを備える電解コンデンサと；を具備することを特徴とする。
【０００８】
本発明及び以下の発明において、特に指定しない限り用語の定義及び技術的意味は次による。電気回路は、例えば、光源の点灯回路やモータの駆動回路等があるが、格別限定されるものではない。回路部品には、例えば、電解コンデンサ等のコンデンサ、チョークコイル等の巻線部品、トランジスタ等のスイッチング素子等、電気回路を構成するうえで必要な部品が含まれる。安全弁は、ケースの内部圧力が所定以上になった場合に電解液の蒸発ガスを逃がす機能を有していればよく、その形態や配設位置は格別限定されるものではない。開口部の周縁とは、周縁の最端部を含むが、最端部に限定されず、所定の幅を有する領域を意味する。また、ケースの底面側に接着固定とは、ケースの底面に直接的に接着固定される場合のみならず、他の部材を介して間接的に接着固定される場合をも許容する。
【０００９】
請求項２に記載の電気機器は、回路部品を有する電気回路と；回路部品として電気回路に設けられ、電解液を含むコンデンサ素子を密封状態に収納するとともに内部圧力が所定以上になった場合に電解液の蒸発ガスを噴出する安全弁が設けられたケースと、このケースの前記安全弁を含んで少なくとも上面及び側周面を気密的に覆うカバー手段とを備え、前記カバー手段は、開口部を有し、この開口部の周縁は、電解コンデンサの構成部品を構成要素とする挟持手段によって固着されている電解コンデンサと；を具備することを特徴とする。
【００１０】
電解コンデンサの構成部品とは、例えば、ケースやこのケースを密封する封口ゴム等であり、挟持手段は、これらケースや封口ゴム等を構成要素として構成されていることを意味する。
【００１１】
請求項３に記載の電気機器は、回路部品を有する電気回路と；回路部品として電気回路に設けられ、電解液を含むコンデンサ素子を密封状態に収納するとともに内部圧力が所定以上になった場合に電解液の蒸発ガスを噴出する安全弁が設けられたケースと、このケースの全周面を気密的に覆うとともに開口部を有し、この開口部を安全弁と対向しない領域に配置し、かつ開口部の周縁が溶着により固着されたカバー手段とを備える電解コンデンサと；を具備することを特徴とする。
【発明の効果】
【００１２】
請求項１に記載の発明によれば、安全弁が作動した場合に、使用者が火災であると誤認することを防止できる。また、カバー手段は、接着によってケースに固着されているので、蒸発ガスの噴出圧で離脱することがなく、取付け状態を確実に保持することができる。さらに、カバー手段をケースの底面側に接着するようにしたので、接着作業が効率的に行える効果を奏する。加えて、カバー手段は、ケースの上面及び側周面を覆うようになっているので、安全弁の配設位置に制限されずに適用可能となる。
【００１３】
請求項２に記載の発明によれば、安全弁が作動した場合に、使用者が火災であると誤認することを防止できる。また、カバー手段は、電解コンデンサの構成部品を構成要素とする挟持手段によって固着されるので、特別な部材を要することなく、カバー手段をケースに固着することができるとともに、蒸発ガスの噴出圧で離脱することがなく、取付け状態を確実に保持することができる。さらに、カバー手段は、ケースの上面及び側周面を覆うようになっているので、安全弁の位置に制限されずに適用可能となる。
【００１４】
請求項３に記載の発明によれば、安全弁が作動した場合に、使用者が火災であると誤認することを防止できる。また、カバー手段は、溶着によって固着されているので、特別な部材を要することなく、簡単な構成でカバー手段をケースに固着することができるとともに、蒸発ガスの噴出圧で離脱することがなく、取付け状態を確実に保持することができる。さらに、カバー手段は、ケースの全周面を覆うようになっているので、安全弁の位置に制限されずに適用可能となる。また、カバー手段の開口部を安全弁と対向しない領域に配置するようにしたので、蒸発ガスの噴出により開口部の周縁の溶着部分が破損するのを防止することができる。
【発明を実施するための最良の形態】
【００１５】
以下、本発明の第１の実施形態に係る電解コンデンサについて図１乃至図７を参照して説明する。図１は、電解コンデンサの基本構成を示す平面図及び断面図、図２は、実施例１の電解コンデンサを示す断面図、図３は、同カバー手段の取付け状態を示す斜視図及び断面図、図４は、同安全弁の作動時を模式的に示す断面図、図５は、同電解コンデンサの他の実装状態を示す断面図、図６は、実施例２の電解コンデンサを示す断面図、図７は、実施例３の電解コンデンサを示す断面図である。なお、各図において同一又は相当部分には同一符号を付し重複した説明は省略する。
【００１６】
まず、電解コンデンサの基本的構成を説明する。図１（ａ）、（ｂ）において、電解コンデンサ１は、ケース本体２を備えている。ケース本体２は、開口部３ａを有する有底円筒状のアルミニウム製のケース３、封口材としての封口ゴム４及び熱収縮性の絶縁性スリーブ５とを備えている。ケース３内には、陽極箔と陰極箔からなる一対の電極間に電解紙を挟み巻回し、例えば、エチレングリコール系の電解液を含浸させた電解コンデンサ素子１ａが収納されている。また、ケース３の開口部３ａには封口ゴム４が挿入されており、封口ゴム４に開口部３ａをかしめてケース３は封止、密封されている。なお、このかしめ部３ｂはリング状凹部を形成している。
【００１７】
一方、ケース３の開口部３ａとは反対側の端面には、ケース３の内部圧力が所定以上になった場合に、ケース３の一部が破れて電解液の蒸発ガスを外部に逃がす安全弁６が設けられている。安全弁６は、ケース３の内部圧力が所定以上になったときに破れるように、ケース３にＫ字形の肉薄部を形成して構成されている。この肉薄部は、Ｘ字形やＹ字形に形成してもよい。また、ケース３は、円筒状の絶縁性スリーブ５によって外周表面が覆われている。絶縁性スリーブ５は、定格電圧、静電容量、極性等が印刷されたＰＥＴ樹脂や塩化ビニル樹脂からなる熱収縮性のスリーブであり、ケース３に被せた後、熱を加え、その収縮によってケース３の外周表面に被覆されるものである。さらに、ケース３の開口部３ａ側には、陽極箔と陰極箔に接続され、封口ゴム４を貫通したリード線７が導出されている。
【００１８】
（実施例１)図２に示すように、電解コンデンサ１には、安全弁６を含んでケース本体２の上面及び側周面を覆うカバー手段１０が取付けられている。このカバー手段１０は、半透明のシリコーン樹脂等で形成されおり、伸縮性、耐熱性、弾性を有し、円筒形をなすキャップ状であり、一端部には開口部１１が形成されている。そして、開口部１１の周縁は、ケース本体２の底面にシリコーン系やエポキシ系の接着剤１５によって固着されている。したがって、カバー手段１０の内側とケース本体２の外側とで形成される空間は密閉状態であり、ケース３は、カバー手段１０により気密的に覆われている。なお、カバー手段１０は、伸縮性、耐熱性、弾性、また、電解液に対する耐侵食性が高い材料で形成するのが好ましい。
【００１９】
カバー手段１０の取付けにあたっては、図３（ａ）に示すキャップ状のカバー手段１０の開口部１１をケース本体２の上面側から被せる。この状態では、図３（ｂ）に示すように、カバー手段１０の高さ寸法は、ケース本体２の高さ寸法より大きく形成されているので、カバー手段１０の開口部１１の周縁は、ケース本体２の底面より若干突出した状態となる。続いて、ケース本体２の底面の周縁部に接着剤１５を塗布し、カバー手段１０の開口部１１の周縁を図示矢印で示すように内側に折り曲げ、図３(ｃ)に示すように、開口部１１の周縁を接着剤１５によってケース本体２に固着する。なお、ケース本体２の底面への接着剤１５の塗布は、カバー手段１０をケース本体２に被せる前に行うようにしてもよい。
【００２０】
次に、このように構成された電解コンデンサ１の作用について図４を参照して説明する。電解コンデンサ１は、プリント基板ＰＷＢに実装されている。電解コンデンサ１に過電圧が加わった場合や寿命末期の異常時において、電解液の蒸発ガスでケース３内の圧力が所定圧力以上に達した場合、ケース３が破裂するのを防止するため安全弁６が作動し、Ｋ字形の肉薄部が破れ、電解液の蒸発ガスが外部に噴出する。また、可燃性ガス及び異臭が発生する場合もある。カバー手段１０は、伸縮性を有し、ケース本体２を気密的に覆っているので膨らむことが可能であり、安全弁６が作動した場合、蒸発ガスの噴出圧によって、外方に袋状となって膨らむ状態となる。この状態では、蒸発ガスは、カバー手段１０内に滞留しているので、外部に流出することを防止することができる。このとき、カバー手段１０は、開口部１１の周縁を接着剤１５によってケース本体２に固着されているので、蒸発ガスの噴出圧で離脱することがなく、取付け状態を確実に保持することができる。
【００２１】
また、カバー手段１０の取付けにあたって、仮に、開口部１１の周縁をケース本体２の側周面に接着剤を用いて固着しようとすると、予めケース本体２の側周面に接着剤を塗布し、その後、カバー手段１０の開口部１１をケース本体２の上面側から被せることとなる。このため、カバー手段１０を被せる過程において、接着剤がカバー手段１０の内面に不必要に付着したり、カバー手段１０を被せる作業が円滑に行えない等の作業上の不具合が生じる虞がある。しかしながら、本実施例では、ケース本体２の底面に接着剤１５を塗布するので、前記不具合は生じることなく、作業を効率的に行うができる。加えて、カバー手段１０は、ケース本体２の上面及び側周面を覆うようになっているので、例えば、安全弁６がケース３の側周面に形成されているような電解コンデンサであっても適用可能となる。なお、図５に示すように、電解コンデンサ１をプリント基板ＰＷＢに横向きに実装する場合にも適用可能である。
【００２２】
以上のように本実施例によれば、安全弁６が作動し、電解液の蒸発ガスが噴出すると、カバー手段１０が膨らみカバー手段１０内に蒸発ガスが滞留し、蒸発ガスの外部への流出を防ぐことができる。これにより、安全弁６が作動した場合に、使用者が火災であると誤認することを防止できる。また、カバー手段１０は、接着剤１５によってケース本体２に固着されているので、蒸発ガスの噴出圧で離脱することがなく、取付け状態を確実に保持することができる。さらに、カバー手段１０をケース３の底面側に接着するようにしたので、接着作業が効率的に行える効果を奏する。加えて、カバー手段１０は、ケース本体２の上面及び側周面を覆うようになっているので、安全弁６の位置に制限されずに適用可能となる。
【００２３】
（実施例２）図６に示すように、キャップ状のカバー手段１０は、その内径がケース本体２の外径より小さいものを用いている。したがって、カバー手段１０の開口部１１をケース本体２の上面側から被せる際には、開口部１１を広げながらケース本体２に被せる。すると、カバー手段１０の開口部１１の周縁は、ケース本体２の底面より若干突出し、かつ縮径した状態となる。この状態で、開口部１１の周縁内側とケース本体２の底面の周縁部との間に接着剤１５を塗布し、開口部１１の周縁を接着剤１５によってケース本体２に固着する。なお、この場合、開口部１１の周縁を内側に折り曲げるようにしてもよい。
【００２４】
以上のように本実施例によれば、実施例１の効果に加え、カバー手段１０の開口部１１の周縁内側とケース本体２の底面の周縁部との間に接着剤１５を塗布するようにしたので接着作業が行い易い効果を奏する。
【００２５】
（実施例３）図７に示すように、ケース本体２の底面側に円盤状のトレイ１６を設けたものである。このトレイ１６の底壁には、リード線７が導出する導出孔が形成されている。カバー手段１０の取付けにあたっては、カバー手段１０をケース本体２の上面側から被せ、次いでトレイ１６をケース本体２の底面側から導出孔にリード線７を通して配置する。続いて、カバー手段１０の開口部１１の周縁外周、すなわち、トレイ１６と開口部１１の周縁外周との間に接着剤１５を充填する。本実施例は、ケース本体２の底面に、トレイ１６を介して間接的にカバー手段１０を接着固定するものである。
【００２６】
なお、予めトレイ１６にウレタン等の樹脂を充填し、これにケース本体２に被せたカバー手段１０を接着固定するようにしてもよく、さらに、ケース本体２にカバー手段１０及びトレイ１６を取付けた電解コンデンサをプリント基板に実装し、その後、カバー手段１０を接着するようにしてもよい。
【００２７】
以上のように本実施例によれば、実施例１の効果に加え、トレイ１６を設けたので、接着剤１５を塗布、充填するに際し、接着剤１５の適量化が可能となる。
【００２８】
次に、本発明の第２の実施形態に係る電解コンデンサについて図８乃至図１２を参照して説明する。図８は、実施例１の電解コンデンサを示す断面図、図９は、実施例２の電解コンデンサを示す断面図及び底面図、図１０は、同基板への取付け状態を示す断面図、図１１は、実施例３の電解コンデンサを示す断面図及び底面図、図１２は、同基板への取付け状態を示す断面図である。なお、第１の実施形態と同一又は相当部分には同一符号を付し重複した説明は省略する。
【００２９】
（実施例１）図８に示すように、カバー手段１０の開口部１１の周縁を内側に折り曲げ、この周縁を封口ゴム４の外周とケース３のかしめ部３ｂの内側との間で挟み込んだものである。したがって、電解コンデンサ１の製造時に、封口ゴム４をケース３の開口部３ａに挿入するとともに、カバー手段１０の周縁を内側に折り曲げて挿入し、封口ゴム４に開口部３ａをかしめてケース３を封止、密封すると同時にカバー手段１０が固着されるものである。よって、この封口ゴム４及びケース３のかしめ部３ｂは、カバー手段１０を固着するための挟持手段を構成していることとなる。
【００３０】
以上のように本実施例によれば、安全弁６が作動し、電解液の蒸発ガスが噴出すると、カバー手段１０が膨らみカバー手段１０内に蒸発ガスが滞留し、蒸発ガスの外部への流出を防ぐことができる。これにより、安全弁６が作動した場合に、使用者が火災であると誤認することを防止できる。また、カバー手段１０は、封口ゴム４とケース３のかしめ部３ｂとの間に固着されるので、特別な部材を要することなく、カバー手段１０をケース本体２に固着することができ、また、蒸発ガスの噴出圧で離脱することがなく、取付け状態を確実に保持することができる。加えて、カバー手段１０は、ケース本体２の上面及び側周面を覆うようになっているので、安全弁６の位置に制限されずに適用可能となる。
【００３１】
（実施例２）図９に示すように、カバー手段１０の開口部１１は、縮径した形態をなし、その周縁は、リング状の厚肉部１２として形成されている。カバー手段１０の取付けにあたっては、カバー手段１０の開口部１１を広げながらケース本体２に被せる。被せた状態では、厚肉部１２の内周側は、リード線７に当接し位置決めされる。そして、図１０に示すように、このカバー手段１０が取付けられた電解コンデンサ１をプリント基板ＰＷＢに実装する。この場合、開口部１１の周縁の厚肉部１２は、封口ゴム４とプリント基板ＰＷＢの表面との間で挟持された状態で固着され、厚肉部１２は、弾性を有しているので、封口ゴム４及びプリント基板ＰＷＢとの密着性が良好で、カバー手段１０の内側とケース本体２の外側とで形成される空間は密閉状態に保持される。よって、封口ゴム４及びプリント基板ＰＷＢは、カバー手段１０を固着するための挟持手段を構成していることとなる。なお、厚肉部１２は、ケース本体２の底面とプリント基板ＰＷＢの表面との間で挟持するように構成してもよい。
【００３２】
以上のように本実施例によれば、実施例１と同様な効果に加え、カバー手段１０は、封口ゴム４とプリント基板ＰＷＢの表面との間で挟持されるので、特別な部材を要することなく、カバー手段１０をケース本体２に固着することができる。
【００３３】
（実施例３）図１１に示すように、前記実施例２におけるカバー手段１０のリング状の厚肉部１２にリード線７が貫通する導出孔を形成し、この導出孔からリード線７を導出させるようにしたものである。したがって、カバー手段１０の取付けにあたっては、カバー手段１０の開口部１１を広げながらケース本体２に被せるとともに、厚肉部１２にリード線７を貫通させ、カバー手段１０の位置決めを行う。そして、図１２に示すように、実施例２と同様に、カバー手段１０が取付けられた電解コンデンサ１をプリント基板ＰＷＢに実装する。この場合、開口部１１の周縁の厚肉部１２は、封口ゴム４とプリント基板ＰＷＢの表面との間で挟持され、かつ、リード線７に保持された状態となっているので、固着がより確実となる。
【００３４】
以上のように本実施例によれば、実施例２と同様な効果に加え、カバー手段１０の取付け状態を一層確実に保持することが可能となる。
【００３５】
次に、本発明の第３の実施形態に係る電解コンデンサについて図１３を参照して説明する。図１３は、電解コンデンサを示す断面図である。なお、第１の実施形態と同一又は相当部分には同一符号を付し重複した説明は省略する。
【００３６】
本実施形態では、カバー手段１０を円筒状に形成し、ケース本体２の全周面を覆うようにし、開口部１１を折り畳むようにして、この部分を溶着１３したものである。したがって、カバー手段１０の底壁には、リード線７が貫通する導出孔が形成され、上面側には、開口部１１が形成されている。カバー手段１０の取付けにあたっては、カバー手段１０の開口部１１をケース本体２の底面側から導出孔にリード線７を通して被せる。そして、上面側に位置された開口部１１の周縁を内側に折り畳み、この部分を溶着１３によって固着する。なお、カバー手段１０の開口部１１は、安全弁とは対向しない領域に配置するのが好ましく、すなわち、溶着１３部分は、安全弁とは対向しない位置に配置するのが好ましく、本実施形態においては、安全弁はケース本体２の側周面に配設されている。また、ケース本体２の底面側にカバー手段１０の開口部１１を位置させ、この開口部１１の周縁を溶着するようにしてもよい。
【００３７】
以上のように本実施形態によれば、第１の実施形態と同様な効果に加え、カバー手段１０を溶着によって固着するようにしたので、特別な部材を要することなく、簡単な構成でカバー手段１０をケース本体２に固着することができる。また、カバー手段１０の開口部１１は、安全弁とは対向しない領域に配置されているので、蒸発ガスの噴出により、蒸発ガスが直接的に溶着１３部分に作用することがなく、溶着１３部分の破損を回避できるものである。
【００３８】
次に、本発明の電気機器の実施形態について図１４及び図１５を参照して説明する。図１４は、電気機器としての点灯装置を示すブロック図、図１５は、点灯装置を適用した照明器具を示す斜視図である。図１４において、電気機器としての点灯装置２０は、電気回路として点灯回路２１を備えている。点灯回路２１は、フィルタ回路２２、整流平滑回路２３、高周波変換回路２４及びランプ点灯回路２５とから構成されており、ランプ点灯回路２５には光源としての蛍光ランプ２６が接続されるようになっている。フィルタ回路２２は、商用交流電源ＡＣに接続され、ノイズによる機器の誤動作や他の機器への障害を防止する機能をなし、整流平滑回路２３は、商用交流を整流平滑し、高周波変換回路２４は、直流を高周波に変換し、ランプ点灯回路２５は、ランプの始動、点灯維持機能を有する。ここで、整流平滑回路２３には、上記各実施形態の電解コンデンサ１が用いられ、接続されている。
【００３９】
図１５において、照明器具３０は、天井面に埋め込まれて設置される埋込形の器具であり、器具本体３１の長手方向の両端にソケット３２が取付けられおり、このソケット３２に光源としての直管形蛍光ランプ２６が接続されている。器具本体３１内には、前記点灯装置２０が収納されている。
【００４０】
このように構成された点灯装置２０に商用交流電源ＡＣを投入すると、フィルタ回路２２を通じて整流平滑回路２３の電解コンデンサ１が充電され、高周波変換回路２４を介して、充電された電圧が高周波電圧として蛍光ランプ２６に供給され、蛍光ランプ２６が点灯する。ここで、電解コンデンサ１の安全弁６が作動し、電解液の蒸発ガスが噴出した場合、カバー手段１０によって蒸発ガスの外部への流出を防ぐことができ、使用者が火災であると誤認することを防止できる。また、カバー手段１０は、ケース本体２に固着されているので、蒸発ガスの噴出圧で離脱することがなく、取付け状態を確実に保持することができ、安定してその機能を発揮することができる。
【００４１】
なお、本発明は、上記各実施形態の構成に限定されることなく、発明の要旨を逸脱しない範囲で種々の変形が可能である。例えば、電気機器としては、点灯装置に限らず、モータを制御する駆動制御装置等にも適用でき、さらに、電解コンデンサを用いる電気回路を備えた他の電気機器にも適用できる。
【図面の簡単な説明】
【００４２】
【図１】電解コンデンサの基本構成を示す平面図及び断面図である。
【図２】本発明の第１の実施形態（実施例１）に係る電解コンデンサを示す断面図である。
【図３】同カバー手段の取付け状態を示す斜視図及び断面図である。
【図４】同安全弁の作動時を模式的に示す断面図である。
【図５】同電解コンデンサの他の実装状態を示す断面図である。
【図６】同実施例２の電解コンデンサを示す断面図である。
【図７】同実施例３の電解コンデンサを示す断面図である。
【図８】本発明の第２の実施形態（実施例１）に係る電解コンデンサを示す断面図である。
【図９】同実施例２の電解コンデンサを示す断面図及び底面図である。
【図１０】同基板への取付け状態を示す断面図である。
【図１１】同実施例３の電解コンデンサを示す断面図及び底面図である。
【図１２】同基板への取付け状態を示す断面図である。
【図１３】本発明の第３の実施形態に係る電解コンデンサを示す断面図である。
【図１４】本発明の電気機器の実施形態としての点灯装置を示すブロック図である。
【図１５】同点灯装置を適用した照明器具を示す斜視図である。
【符号の説明】
【００４３】
１・・・電解コンデンサ、１ａ・・・コンデンサ素子、３・・・ケース、
６・・・安全弁、１０・・・カバー手段、１１・・・開口部、１３・・・溶着、
１５・・・接着剤、２０・・・電気機器（点灯装置）、２１・・・電気回路（点灯回路）
【図１】
2010123762.tif 000003
【図２】
2010123762.tif 000004
【図３】
2010123762.tif 000005
【図４】
2010123762.tif 000006
【図５】
2010123762.tif 000007
【図６】
2010123762.tif 000008
【図７】
2010123762.tif 000009
【図８】
2010123762.tif 000010
【図９】
2010123762.tif 000011
【図１０】
2010123762.tif 000012
【図１１】
2010123762.tif 000013
【図１２】
2010123762.tif 000014
【図１３】
2010123762.tif 000015
【図１４】
2010123762.tif 000016
【図１５】
2010123762.tif 000017